(57)【要約】【課題】  本発明の目的は、利用者にとって便利なエリア提示を行うことである。【解決手段】  本発明においては、所定の条件の満足に応じて、車両の扉の施錠を遠隔的に行う施錠装置において、該所定の条件の満足を検出する検出部と、無線信号を受信する受信部と、情報を記憶する記憶部と、該検出をトリガとして該受信部が受信した無線信号に含まれるエリア情報を該記憶部に書き込む制御をする制御部と、該記憶部に記憶された該エリア情報を出力する出力部と、を備えたことを特徴とする施錠装置を用いる。【選択図】      図３
2009108477.tif 000002
【特許請求の範囲】
【請求項１】
所定の条件の満足に応じて、車両の扉の施錠を遠隔的に行う施錠装置において、
該所定の条件の満足を検出する検出部と、
無線信号を受信する受信部と、
情報を記憶する記憶部と、
該検出をトリガとして該受信部が受信した無線信号に含まれるエリア情報を該記憶部に書き込む制御をする制御部と、
該記憶部に記憶された該エリア情報を出力する出力部と、
を備えたことを特徴とする施錠装置。
【請求項２】
請求項１において、
前記制御部は、前記検出が行われた際に前記記憶部への前記エリア情報の書き込みを不可の状態から可能の状態にする制御を行うことを特徴とする施錠装置。
【請求項３】
請求項１において、
前記制御部は、前記エリア情報を前記記憶部に書き込んだ後に書き込んだ該エリア情報の上書きを規制する制御を行うことを特徴とする施錠装置。
【請求項４】
請求項１において、
前記制御部は、前記受信部がエリア情報を含む複数の無線信号を受信した場合に、該複数の無線信号のうち最も電界強度の強い無線信号に含まれるエリア情報を前記記憶部に書き込む制御を行うことを特徴とする施錠装置。
【請求項５】
請求項１において、
施錠装置に固有のＩＤデータを保持し、前記エリア情報を該記憶部に書き込むと該ＩＤデータを含む無線信号を送信する送信部を備えることを特徴とする施錠装置。
【請求項６】
車両の扉の施錠を遠隔的に行う施錠装置との間で無線信号を送受信する無線装置において、
エリア情報を含む無線信号を送信する送信部と、
内蔵する記憶部に該送信部からの該エリア情報を書き込んだ該施錠装置から送信される、該施錠装置に固有のＩＤデータを含む無線信号を受信する受信部と、
を備え、
該送信部は、該ＩＤデータを含む無線信号を受信すると、該施錠装置に対し該記憶部に書き込まれた該エリア情報の上書きを禁止の状態となるように制御する制御信号を送信することを特徴とする無線装置。
【請求項７】
請求項６において、
前記エリア情報と前記ＩＤデータとを含む信号を有線回線又は無線回線により管理サーバに送信することを特徴とする無線装置。
【請求項８】
車両の扉の施錠を遠隔的に行う施錠装置と通信を行う複数の無線装置を管理する管理サーバにおいて、
該複数の無線装置のいずれかの無線装置からエリア情報を受信した該施錠装置から送信される該エリア情報と、該施錠装置に固有のＩＤデータと、を含む信号を、該無線装置を介して有線回線又は無線回線により受信する受信部と、
該エリア情報と該ＩＤデータとに基づいてエリア毎にＩＤデータを収集して、エリア毎の混雑度を算出する算出部と、
該算出部で算出した該混雑度の情報を出力する出力部と、
を備えたことを特徴とする管理サーバ。
【請求項９】
請求項８において、
前記混雑度の情報は画像情報であることを特徴とする管理サーバ。
【請求項１０】
所定の条件の満足に応じて車両の扉の施錠を遠隔的に行う施錠装置と無線装置とを用いるエリア提示方法において、
該無線装置は、エリア情報を含む無線信号を送信し、
該施錠装置は、
該所定の条件の満足を検出し、該検出をトリガとして内蔵する記憶部への該エリア情報の書き込みを可能の状態に制御し、
該エリア情報を含む無線信号を受信すると該エリア情報を該記憶部に書き込み、
書き込まれた該エリア情報への該エリア情報の上書きを禁止の状態にするとともに、書き込まれた該エリア情報を出力する、
ことを特徴とするエリア提示方法。
【請求項１１】
所定の条件の満足に応じて車両の扉の施錠を遠隔的に行う施錠装置と通信を行う複数の無線装置を管理する管理サーバを用いるエリア管理方法において、
該無線装置は、エリア情報を含む無線信号を送信し、
該施錠装置は、該所定の条件の満足を検出し、該検出をトリガとして内蔵する記憶部への該エリア情報の書き込みを可能の状態に制御し、該エリア情報を含む無線信号を受信すると該エリア情報を該記憶部に書き込み、該エリア情報と自身に固有のＩＤデータを含む無線信号を該無線装置に送信し、
該管理サーバは、該施錠装置から送信される該エリア情報と該ＩＤデータとを含む信号を、該無線装置を介して無線回線又は有線回線により受信し、該エリア情報と該ＩＤデータとに基づいてエリア毎にＩＤデータを収集して、エリア毎の混雑度を算出し、該混雑度の情報を出力する、
ことを特徴とするエリア管理方法。
【発明の詳細な説明】
【技術分野】
【０００１】
本発明は、利用者にエリアを通知するシステムに関する。
【背景技術】
【０００２】
サービス加入者にエリアを通知するシステムの例として、大型駐車場における駐車エリア通知システムがある。
【０００３】
大型駐車場では、駐車エリアが各階ともに類似しており、利用者が駐車位置を忘れてしまう、あるいは、自分の車を見つけ出すのに相当な時間を要する場合がしばしばある。このことは混雑時の駐車場利用効率低下の原因の一つとなっている。
【０００４】
そこで、この問題を解決する方法として、特許文献１では、段落００１８、００１９、００２０において、「第1の駐車位置情報提供システムは、大規模な駐車場に設置されて駐車エリアとゲートからの方向を含む駐車位置情報を記憶した複数の非接触ＩＣタグと、タグリーダ機能付き携帯電話機とで構成されている。…前記タグリーダ機能付き携帯電話機は、利用者が前記非接触ＩＣタグにかざしたときに、前記駐車位置情報を読み取って記憶する。そして前記タグリーダ機能付き携帯電話機は、前記利用者が駐車位置確認モードにした場合に、記憶している前記駐車位置情報とゲートからの方向情報を読み出して表示パネルに表示させる。…要するに、…駐車位置情報書込み装置として非接触ＩＣタグを駐車エリア毎に設置したこと、前記非接触ＩＣタグに駐車エリア番地などの位置情報と共に駐車エリア番地が駐車場のゲートからどの方向にあるかのゲートからの方向情報を記憶させたこと、及び、携帯電話機にタグリーダ機能を備えたことを特徴とするものである。…第２の駐車位置情報提供システムは、大規模な駐車場に設置されて駐車位置情報を記憶した複数の非接触ＩＣタグと、タグリーダ機能付き携帯電話機と、駐車場の地図を表示する表示パネルを備えた駐車場地図表示装置とで構成されている。前記タグリーダ機能付き携帯電話機は、利用者が前記非接触ＩＣタグにかざしたときに、前記駐車位置情報を読み取って記憶する。そして前記駐車場地図表示装置は、利用者が前記タグリーダ機能付き携帯電話機を接近させて通信を行わせたときに、記憶している前記駐車位置情報を読み出してこれに対応する場所を特定した駐車場地図を作成し、表示パネルに表示させる。」との記載がある。
【０００５】
また、特許文献２では、段落０００６及び段落００５５において、それぞれ、「映像を撮影する撮影部を備えた移動体に搭載される駐車位置探索支援装置であって、撮影部によって撮影された画像を記憶する画像記憶部と、移動体の駐車動作に応じて画像記憶部に画像の記憶を開始または終了させる撮影制御部と、画像記憶部によって記憶された画像を所定の携帯端末もしくは当該携帯端末からアクセス可能なサーバに転送する転送部とを備える、駐車位置探索支援装置」及び「当該撮影は、一例として、車両が所定の駐車位置に停車して、利用者がサイドブレーキを引くまでの間、５秒間隔で行われる。そして、サイドブレーキが引かれたタイミングで、撮影制御部１７は画像記憶部１８に画像の記憶を終了させる」ことについての記載、また、段落００３１において、「移動体を駐車するまでの過程における画像を撮影しておき、端末等に送信できる。そのため、利用者は、上記画像を端末で確認しながら自車の駐車位置まで移動できるため、直感的な駐車位置の把握が可能となり、その結果、迷うことなく駐車位置までたどり着くことができる。」との記載がある。
【特許文献１】特開２００６−１２００２２
【特許文献２】特開２００７−６５９０２
【発明の開示】
【発明が解決しようとする課題】
【０００６】
従来のエリア通知システムでは、例えば上記特許文献１記載の駐車位置情報提供システムにおいて、利用者がＩＣタグにリーダ機器をかざさなければならず、利用者がＩＣタグの設置位置に行くことを忘れてしまうといった問題や、ＩＣタグのあるところまで、駐車場の出入口と逆方向であっても情報を記憶させに行かなければならず手間隙がかかるといった問題がある。
【０００７】
また、上記特許文献２記載の駐車位置探索支援装置においては、記憶した駐車位置に関する情報を携帯端末等に転送するものであるため、車両を離れる際に携帯端末等を携行する必要があり、万一携帯端末を車内に忘れたまま車両の施錠をしてしまった場合には、わざわざ開錠して携帯端末を車内から取り出さなければならないという問題がある。
【０００８】
そこで、本発明は、利用者にとって便利なエリア通知システムを提供することを目的とするものである。
【課題を解決するための手段】
【０００９】
本発明においては、所定の条件の満足に応じて、車両の扉の施錠を遠隔的に行う施錠装置において、該所定の条件の満足を検出する検出部と、無線信号を受信する受信部と、情報を記憶する記憶部と、該検出をトリガとして該受信部が受信した無線信号に含まれるエリア情報を該記憶部に書き込む制御をする制御部と、該記憶部に記憶された該エリア情報を出力する出力部と、を備えたことを特徴とする施錠装置を用いる。
【００１０】
好ましくは、前記制御部は、前記検出が行われた際に前記記憶部への前記エリア情報の書き込みを不可の状態から可能の状態にする制御を行う。
【００１１】
好ましくは、前記制御部は、前記エリア情報を前記記憶部に書き込んだ後に書き込んだ該エリア情報の上書きを規制する制御を行う。
【００１２】
好ましくは、前記制御部は、前記受信部がエリア情報を含む複数の無線信号を受信した場合に、該複数の無線信号のうち最も電界強度の強い無線信号に含まれるエリア情報を前記記憶部に書き込む制御を行う。
【００１３】
好ましくは、施錠装置に固有のＩＤデータを保持し、前記エリア情報を該記憶部に書き込むと該ＩＤデータを含む無線信号を送信する送信部を備える。
【００１４】
本発明においては、車両の扉の施錠を遠隔的に行う施錠装置との間で無線信号を送受信する無線装置において、エリア情報を含む無線信号を送信する送信部と、内蔵する記憶部に該送信部からの該エリア情報を書き込んだ該施錠装置から送信される、該施錠装置に固有のＩＤデータを含む無線信号を受信する受信部と、を備え、該送信部は、該ＩＤデータを含む無線信号を受信すると、該施錠装置に対し該記憶部に書き込まれた該エリア情報の上書きを禁止の状態となるように制御する制御信号を送信することを特徴とする無線装置を用いる。
【００１５】
好ましくは、前記エリア情報と前記ＩＤデータとを含む信号を有線回線又は無線回線により管理サーバに送信する。
【００１６】
本発明においては、車両の扉の施錠を遠隔的に行う施錠装置と通信を行う複数の無線装置を管理する管理サーバにおいて、該複数の無線装置のいずれかの無線装置からエリア情報を受信した該施錠装置から送信される該エリア情報と、該施錠装置に固有のＩＤデータと、を含む信号を、該無線装置を介して有線回線又は無線回線により受信する受信部と、  該エリア情報と該ＩＤデータとに基づいてエリア毎にＩＤデータを収集して、エリア毎の混雑度を算出する算出部と、該算出部で算出した該混雑度の情報を出力する出力部と、を備えたことを特徴とする管理サーバを用いる。
【００１７】
好ましくは、前記混雑度の情報は画像情報である。
【００１８】
本発明においては、所定の条件の満足に応じて車両の扉の施錠を遠隔的に行う施錠装置と無線装置とを用いるエリア提示方法において、該無線装置は、エリア情報を含む無線信号を送信し、該施錠装置は、該所定の条件の満足を検出し、該検出をトリガとして内蔵する記憶部への該エリア情報の書き込みを可能の状態に制御し、該エリア情報を含む無線信号を受信すると該エリア情報を該記憶部に書き込み、書き込まれた該エリア情報への該エリア情報の上書きを禁止の状態にするとともに、書き込まれた該エリア情報を出力する、ことを特徴とするエリア提示方法を用いる。
【００１９】
本発明においては、所定の条件の満足に応じて車両の扉の施錠を遠隔的に行う施錠装置と通信を行う複数の無線装置を管理する管理サーバを用いるエリア管理方法において、該無線装置は、エリア情報を含む無線信号を送信し、該施錠装置は、該所定の操作を検出し、該検出をトリガとして内蔵する記憶部への該エリア情報の書き込みを可能の状態に制御し、該エリア情報を含む無線信号を受信すると該エリア情報を該記憶部に書き込み、該エリア情報と自身に固有のＩＤデータを含む無線信号を該無線装置に送信し、該管理サーバは、該施錠装置から送信される該エリア情報と該ＩＤデータとを含む信号を、該無線装置を介して無線回線又は有線回線により受信し、該エリア情報と該ＩＤデータとに基づいてエリア毎にＩＤデータを収集して、エリア毎の混雑度を算出し、該混雑度の情報を出力する、ことを特徴とするエリア管理方法を用いる。
【発明の効果】
【００２０】
本発明によれば、利用者にとって便利なエリア提示を行うことが可能となる。また、エリア毎の混雑度の管理を簡単に行うことができる。
【発明を実施するための最良の形態】
【００２１】
以下、図面を用いて本発明の実施の形態について説明する。
【００２２】
（１）エリア情報
図１は、本実施例が適応され得る駐車場の一例である。図において、１1〜9は駐車場の複数箇所に設置された無線装置である。各無線装置の無線通信可能な無線ゾーンには例えばＡ−１、Ａ−２、Ｂ−１等の識別名が付与される。この識別名は各無線ゾーン内の床や柱等に電子的または塗料にて表示され、また、各無線ゾーンを特定するエリア情報として各無線装置にデータとして保持される。各無線装置は自身が保持するエリア情報を無線信号として常時又は周期的、定期的に送信する。
【００２３】
なお、エリア情報に含まれる情報は上述の例に限られるものではなく、例えば複数階層構造からなる立体駐車場においては何階であるかといった情報や、東西南北等の方角を示情報など、その他様々な位置特定情報でもよい。
【００２４】
（２）実施例１の構成
図２は、実施例１で用いられる施錠装置２及び無線装置３を示した図である。図において、施錠装置２は受信部４、制御部５、検出部６、記憶部７、表示部８を備え、無線装置３は送信部９を備える。
【００２５】
施錠装置２は所定の条件を満たすことにより車両の扉を遠隔的に施錠又は開錠することができるものである。
【００２６】
所定の条件の例としては、施錠装置に設けられた車両の施錠スイッチ押し下げや、所定信号の受信などがある。
【００２７】
ここで、所定信号の受信により車両の扉を施錠又は開錠する方法の例として、例えば、施錠装置から所定時間間隔で送信される呼出信号に応じて車両から応答信号が送信され、施錠装置がこの応答信号を受信すると扉の開錠を促す制御信号を送信し、一定時間応答信号を受信しない場合は扉の施錠を促す制御信号を送信するものや、車両から受信する信号の電波強度に応じて施錠装置から施錠又は開錠を促す制御信号を送信するものなどが挙げられる。
【００２８】
なお、スイッチにより施錠又は開錠する場合においては、施錠と開錠のスイッチは別個としたり共通としたりすることができ、共通する場合には、例えばスイッチを押す毎に施錠を促す信号と開錠を促す信号を切り替えて送信する。
【００２９】
所定の条件が満たされると検出部６がこの所定条件の満足を検出する。検出部６によって施錠条件の満足が検出されると、制御部５はエリア情報を記憶部７へエリア情報を書き込む制御を行う。
【００３０】
無線装置３の送信部９は、無線装置３が保持（例えば不図示の記憶部に保持）するエリア情報を含む無線信号を送信する。
【００３１】
施錠装置２の受信部４はこの所定の条件の満足に応じて無線装置３からのエリア情報を含む無線信号を受信し、復調することでエリア情報を抽出し、このエリア情報を制御部５に送る。制御部５は送られたエリア情報を記憶部７に書き込むと共に、表示部８にその情報を表示する制御を行う。なお、ここでは画面表示することとしたが、「３ＦエリアＡ−１」等のようにスピーカから音声出力することもできる。したがって、表示部に代えて他の出力部を設けてもよい。
【００３２】
好ましくは、制御部５は検出部６において所定の条件の満足が検出された際に、記憶部７へのエリア情報の書き込みを不可の状態から可能の状態に切り替える制御を行う。これにより、エリア情報を含む無線信号を受信した場合に、このエリア情報を記憶部７に書き込み記憶することができるようになる。
【００３３】
好ましくは、記憶部７にエリア情報が書き込まれると、制御部５は当該書き込まれたエリア情報の記憶領域に更に別のエリア情報が上書きされないよう規制する制御を行う。これにより、記憶部７に書き込まれたエリア情報が別のエリア情報に上書きされることなく、記憶部７に保持され続けることが可能となる。
【００３４】
なお、エリア情報の上書きを禁止する方法のとしては、例えば、開錠条件の満足が検出されるまで又は再び施錠条件の満足が検出されるまで書き込みの規制を行う方法、別途設けた所定の操作により書き込みを禁止する方法、開錠条件の満足が検出された際に記憶しているエリア情報と同じエリア情報を受信するまで書き込みを防止する方法などがある。
【００３５】
（３）実施例１の変形例
(a)施錠装置
図３は本実施例における施錠装置の構成を示す図である。
【００３６】
図において、４は受信部、５は制御部、６は検出部、７は記憶部、８は表示部、１０はＥＮ（イネーブル）制御部、１１はバッファ部、１２は電界強度判定部、１３はデータ判定部を示す。なお、図２と対応する部分には同一の番号を付している。
【００３７】
受信部４はインタフェース部の機能を有し、アンテナを介して外部から受信した無線信号について復調等を行って、無線信号に含まれる情報を内部で有効な情報に変換する信号変換処理を行う。
【００３８】
検出部６は、所定の条件の満足、例えば車両を施錠又は開錠する為の条件が満たされるとこの条件の満足を検出し、ＥＮ制御部１０に対しｏｎデータを送信する。
【００３９】
ＥＮ制御部１０では信号受信の可否をｏｎ／ｏｆｆデータにより制御する。ＥＮ制御部１０がｏｎデータを受信すると、受信部４において受信したエリア情報を含む無線信号は信号変換処理され、制御部５へ送られる。
【００４０】
記憶部７には制御部５によりエリア情報が書き込まれ記憶される。表示部８には記憶部７に記憶されたエリア情報が表示される。なお、制御部５においては例えば以下のような制御が行われる。
【００４１】
受信部４で受信した無線信号に含まれるエリア情報はバッファ部１１に格納される。
【００４２】
電界強度判定部１２は、バッファ部１１に格納された複数のエリア情報０、１、２、…、ｎに対応する無線信号を受信した際の電界強度を比較し、そのうち最も強度の強い信号のエリア情報を判定し選択する。この操作により、施錠装置が複数の無線装置から異なる無線信号を受信した場合に、それぞれに含まれるエリア情報を分離し、最適な一つのエリア情報（施錠条件の満足が検出された位置の最も近くに設置された無線装置から送信される無線信号に含まれるエリア情報が選択される可能性が高い）を記憶部７に記憶することができる。
【００４３】
なお、エリア情報０、１、２、…、ｎは、例えばそれぞれ異なるコードを用いることにより区別することが可能である。すなわち、各無線装置は対応するエリア情報を各無線装置固有のコードで拡散してから送信し、受信部４で各コードを用いて逆拡散処理を施すことによりエリア情報を取得する。なお、コード自体に意味を持たせ、コード１＝エリア１、コード２＝エリア２、等として、コードの別を検出することで対応するエリアを特定することもできる。この場合、コードとエリアの対応表を備えておくとよい。
【００４４】
データ判定部１３は、既に記憶部７に記憶されているエリア情報がある場合に、新しく送られてきたエリア情報が記憶しているエリア情報と同一であるか否かを判定する。また、記憶部７に未だエリア情報が記憶されていない場合は、データ判定部１３は送られてきたエリア情報を記憶部７に書き込む制御を行う。
【００４５】
ここで、同一のエリア情報を受信する場合は、そのエリア情報を送信している無線装置の付近で二度目の所定条件の満足（開錠条件の満足）を検出した場合を想定したものであり、同一のエリア情報でない場合は、一度目の所定条件の満足（施錠条件の満足）の検出の際に受信した無線信号の送信元の無線装置とは異なる無線装置の設置されたエリアで所定条件の満足（開錠又は誤動作）を検出した場合を想定したものである。
【００４６】
したがって、同一のエリア情報の場合は、もはや記憶部７に当該エリア情報を記憶しておく必要はないので記憶部７内の情報が消去され初期化されること、また、同一のエリア情報でない場合は、記憶部７に記憶されている一度目の施錠条件の満足の検出で得たエリア情報への、当該新たに送られてきたエリア情報による上書きが規制されることが好ましい。
【００４７】
そこで、データ判定部１３において、同一のエリア情報であると判定された場合は、ＥＮ制御部２４にｏｆｆデータを与えて不要な受信動作を行わないようにすると共に、記憶部７に記憶されているエリア情報を消去する。また、同一のエリア情報ではないと判定された場合は、送られてきたエリア情報を破棄する。
【００４８】
(b)無線装置
図４は本実施例における無線装置の構成を示す図である。
【００４９】
図において、９は送信部、１４はエリア情報記憶部を示す。なお、図２と対応する送信部には同一番号を付している。
【００５０】
エリア情報記憶部１４には、無線装置に設定してあるエリア情報が記憶されている。
【００５１】
送信部９において、エリア情報を含む信号は所定の信号処理（変調等）がなされアンテナを介して無線信号として外部に送信される。
【００５２】
(c)動作概要
図５は、本実施例における施錠装置の基本動作を表すフローチャートである。
【００５３】
Ｓ１では、所定の条件の満足、すなわち施錠（又は開錠）の為の所定の条件を満たしたことを検出したか否かが判断される。検出した場合はＳ２へ進み、検出しなかった場合はＳ１が繰り返される。
【００５４】
Ｓ２では、無線装置からエリア情報を含む無線信号を受信することを可能とする制御を行う。
【００５５】
Ｓ３では、無線装置から送信されるエリア情報を含む無線信号を受信する。
【００５６】
Ｓ４では、Ｓ３において受信した無線信号に含まれるエリア情報を記憶部に書き込む。
【００５７】
Ｓ５では、Ｓ４の終了後はＳ４において書き込まれたエリア情報がさらに上書きされないよう記憶部への情報書き込みを規制する制御を行う。
【００５８】
Ｓ６では、Ｓ４において記憶部に書き込まれたエリア情報を出力（表示部に表示）する。
【００５９】
（４）実施例２の構成
図６は、実施例２で用いられる施錠装置１５、無線装置１６、及び、管理サーバ１７を示した図である。施錠装置１５は、受信部１８、送信部１９、制御部２０、検出部２１、記憶部２２、表示部２３を備える。無線装置１６は、送信部２４、受信部２５を備える。管理サーバ１７は、受信部２６、算出部２７、出力部２８を備える。
【００６０】
施錠装置１５は所定の条件の満足により車両の扉を遠隔的に施錠又は開錠することができるものである。ここで所定の条件とは、例えば（２）の実施例１において挙げたものがある。所定の条件のが満たされると検出部２１がこの所定条件の満足を検出する。検出部２１によって施錠条件の満足が検出されると、制御部２０は記憶部２２へエリア情報を書き込む制御を行う。
【００６１】
無線装置１６の送信部２４は、無線装置１６が保持するエリア情報を含む無線信号を送信する。
【００６２】
施錠装置１５の受信部１８は無線装置１６からのエリア情報を含む無線信号を受信し、復調することでエリア情報を抽出し、このエリア情報を制御部２０に送る。制御部２０は送られたエリア情報を記憶部２２に書き込む制御を行う。
【００６３】
記憶部２２にエリア情報が書き込まれると、施錠装置１５が保持する当該施錠装置に固有のＩＤデータを含む無線信号が送信部１９から無線装置１６に送信される。
【００６４】
無線装置１６の受信部２５は、施錠装置１５のＩＤデータを含む無線信号を受信する。その後、送信部２４は、施錠装置１５の記憶部２２に書き込まれたエリア情報の上書きを禁止の状態となるように制御する制御信号を施錠装置１５に対して送信する。また、無線装置１６は、施錠装置１５のＩＤデータと無線装置１６のエリア情報とを含む信号を、有線回線又は無線回線により管理サーバ１７に送信する。
【００６５】
施錠装置１５の受信部１８は無線装置１６から送信された制御信号を受信し、これにより制御部２０は記憶部２２に対し、書き込まれたエリア情報にさらにエリア情報が上書きされないよう規制する制御を行う。
【００６６】
管理サーバ１７は図７に示すように複数の無線装置を管理している。なお、管理サーバと無線装置とは有線回線又は無線回線にて信号の送受信を行う（図６及び図７は有線回線の場合）。受信部２６は無線装置１６から送信された、無線装置１６のエリア情報と施錠装置１５のＩＤデータとを含む信号を受信する。算出部２７において、このエリア情報とＩＤデータとに基づいてエリアの混雑度が算出される。算出された混雑度の情報は出力部２８から出力される。
【００６７】
（５）実施例２の詳細説明
(a)施錠装置
図８は、本実施例における施錠装置の構成を示す図である。
【００６８】
図において、１８は受信部、１９は送信部、２０は制御部、２１は検出部、２２は記憶部、２３は表示部、２９はＥＮ（イネーブル）制御部、３０は信号判定部、３１はバッファ部、３２は電界強度判定部、３３はデータ判定部、３４はＩＤデータ保持部、３５は信号生成部、３６はＩＤ判定部を示す。なお、図３と対応する部分は同一の番号を付している。
【００６９】
受信部１３はインタフェース部の機能を有し、アンテナを介して外部から受信した無線信号について復調等を行って、無線信号に含まれる情報を内部で有効な情報に変換する信号変換処理を行う。
【００７０】
検出部２１は、所定の条件の満足、すなわち車両を施錠又は開錠する為の所定の条件が満たされるとこの所定の条件の満足を検出し、ＥＮ制御部２９に対しｏｎデータを送信する。
【００７１】
ＥＮ制御部２９では信号受信の可否をｏｎ／ｏｆｆデータにより制御する。ＥＮ制御部２９がｏｎデータを受信すると、受信部１８において受信したエリア情報を含む無線信号は信号変換処理され、制御部２０へ送られる。
【００７２】
記憶部２２には制御部２０によりエリア情報が書き込まれ記憶される。
【００７３】
なお、制御部２０においては例えば以下のような制御が行われる。
【００７４】
信号判定部３０では、受信した信号が、記憶部２２へのエリア情報の書き込みを規制する制御情報を含む制御信号であるか否かを判定する。
【００７５】
信号判定部３０で制御信号ではないと判定された信号に含まれるエリア情報はバッファ部３１に格納される。
【００７６】
電界強度判定部３２およびデータ判定部３３は、それぞれ実施例１の変形例における電界強度判定部１２およびデータ判定部１３と同様の制御を行う。
【００７７】
ＩＤデータ保持部３４は、施錠装置に固有のＩＤデータを記憶している。なお、記憶部２２とＩＤデータ保持部３４は共通のメモリ内で領域を分けることとで形成しても良い。
【００７８】
記憶部２２にエリア情報が書き込まれると、ＩＤデータ保持部３４に記憶されているＩＤデータが信号生成部３５に送られ、無線装置に対して送信する信号が生成される。この信号は、例えばＩＤデータと記憶部２２に記憶されているエリア情報とを含む信号である。
【００７９】
信号生成部３５で生成された信号は送信部１４で所定の信号変換処理（変調等）が行われた後、無線装置に対して送信される。
【００８０】
また、制御部２０は例えば以下のような制御も行う。
【００８１】
信号判定部３０において、受信した信号が記憶部２２へのエリア情報の書き込みを規制する制御情報を含む制御信号であると判定された場合は、当該制御信号はＩＤ判定部３６に送出される。ここで、制御信号はいずれかの施錠装置に固有のＩＤデータを含むものである。ＩＤ判定部３６では、受信した信号に含まれるＩＤデータと、ＩＤデータ保持部３４に記憶されているＩＤデータとの比較を行う。ＩＤが同じである場合は、ＥＮ制御部２９にｏｆｆデータが送信され信号受信が規制され、記憶部２２へエリア情報が上書きされないようにする。ＩＤが異なる場合は、受信した制御信号を破棄する。
【００８２】
表示部２３には記憶部２２に記憶されたエリア情報と同一のエリア情報が表示される。
【００８３】
(b)無線装置
図９は、本実施例における無線装置の構成を示す図である。
【００８４】
図において、２４は送信部、２５は受信部、３７はエリア情報記憶部、３８はセレクタ、３９、４０は輻輳制御部、４１は信号交換処理部、４２は信号変換部を示す。なお、図３と対応する部分は同一の番号を付している。
【００８５】
エリア情報記憶部３７は無線装置に予め設定してあるエリア情報が記憶されている。
【００８６】
受信部２５はインタフェース部の機能を有し、アンテナを介して外部から受信した無線信号について復調等を行って、無線信号に含まれる情報を内部で有効な情報に変換する信号変換処理を行う。
【００８７】
信号交換処理部４１では、受信部２５で受信した、施錠装置に固有のＩＤデータとエリア情報とを含む信号のうち、ＩＤデータを抽出し、このＩＤデータを受信元である施錠装置のＩＤデータとして含み、当該施錠装置の記憶部に新たにエリア情報が上書きされることを規制する制御情報と、を含む信号を生成する。
【００８８】
送信部２４は、エリア情報記憶部３７に記憶されたエリア情報を含む信号、又は、信号交換処理部４１で生成された信号を送信する。
【００８９】
また、受信部２５で受信した施錠装置の固有ＩＤデータとエリア情報とを含む信号は、信号変換部４２において所定の信号処理（変調等）がなされた後、有線回線又は無線回線にて管理サーバへと送信（転送）される。
【００９０】
なお、例えば、エリア情報記憶部３７から送られるエリア情報を含む信号と、信号交換処理部４１から送られる信号との送信タイミングはセレクタ３８により制御する。例えば、エリア情報を定常的に送信している場合には、一時的にエリア情報の送信は停止して、その停止区間において信号交換処理部４１からの信号を送信するように送信データの切り替えを行う。
【００９１】
さらに、受信部２５で処理された信号の輻輳制御、又は、セレクタ３８から送出されてきた信号の輻輳制御を行うために、それぞれについてバッファとして輻輳制御部４０又は輻輳制御部３９を設けても良い。
【００９２】
(c)管理サーバ
図１０は、本実施例における管理サーバの構成を示す図である。
【００９３】
図において、２６は受信部、２７は算出部、２８は出力部、４３は輻輳制御部、４４はＩＤデータ確認部、４５はカウンタ処理部、４６は混雑度情報生成部、４７はＩＤデータ記憶部、４８はカウンタデータ記憶部、４９は混雑度情報記憶部、５０は信号変換部、５１は出力装置を示す。なお、図３と対応する部分は同一の番号を付している。
【００９４】
受信部２６はインタフェース部の機能を有し、回線を介して無線装置から送られてきた信号を受信して復調等所定の信号処理を行う。
【００９５】
輻輳制御部４３はバッファであり、受信部２１で受信した信号を保持する。
【００９６】
算出部２７は、例えばＩＤデータ確認部４４、カウンタ処理部４５、及び、混雑度情報生成部４６を含み、無線装置から受信した信号に基づいて以下の処理を行う。
【００９７】
ＩＤデータ確認部４４では、受信した信号に含まれる施錠装置のＩＤデータがＩＤデータ記憶部４７に既に登録されているかを検索し確認する。一致するＩＤデータが無い場合は、新たに車両が駐車されたとして、受信した信号に含まれるＩＤデータを新規ＩＤデータとしてＩＤデータ記憶部４７に記憶させる。一致するＩＤデータがある場合は、駐車された車両が退場するものとして、その既に記憶されているＩＤデータをＩＤデータ記憶部４７から消去する制御を行う。
【００９８】
カウンタ処理部４５では、ＩＤデータ確認部４４で確認されるＩＤデータの有無に対応して、エリア毎の駐車台数カウンタを増減させる。
【００９９】
一致するＩＤデータが無い場合は、カウンタデータ記憶部４８に記憶されている当該エリアのカウンタデータの数値を１増加させ、更新した情報をカウンタデータ記憶部４８に記憶する。
【０１００】
一致するＩＤデータがある場合は、カウンタデータ記憶部４８に記憶されている当該エリアのカウンタデータの数値を１減少させ、更新したカウンタデータをカウンタデータ記憶部４８に記憶させる。
【０１０１】
混雑度情報生成部４６では、カウンタデータ記憶部４８に記憶されているカウンタデータとエリア毎の駐車可能台数を比較し混雑度を算出して、各エリアにおける混雑度情報を生成する。生成された混雑度情報は混雑度情報記憶部４９に記憶される。
【０１０２】
出力部２３は、例えば信号変換部５０と出力装置５１とを含む。混雑度情報生成部４６で生成された混雑度情報を含む信号は、信号変換部５０において所定の信号処理がなされた後、出力装置５１に出力される。なお、混雑度情報を含む信号の出力方法としては、例えば画像情報の表示や、音声でのアナウンス等がある。また、出力装置５１は管理サーバに内蔵されていても、別個独立に設置されていてもよい。
【０１０３】
(d)動作概要
図１１は、本実施例における施錠装置、無線装置、及び、管理サーバの基本動作を表すフローチャートである。
【０１０４】
施錠装置の動作について。
【０１０５】
Ｓ７では、所定の条件の満足、すなわち施錠（又は開錠）条件の満足を検出したか否かが判断される。検出した場合はＳ８へ進み、検出しなかった場合はＳ７が繰り返される。
【０１０６】
Ｓ８では、無線装置からエリア情報を含む無線信号を受信することを可能とする制御を行う。
【０１０７】
Ｓ９では、無線装置から送信されるエリア情報を含む無線信号（後述のＳ１５における無線信号）を受信する。
【０１０８】
Ｓ１０では、Ｓ９において受信した無線信号に含まれるエリア情報を記憶部に書き込む。
【０１０９】
Ｓ１１では、施錠装置に固有のＩＤデータを含む無線信号を無線装置に対して送信する。
【０１１０】
Ｓ１２では、無線装置から送信された制御信号（後述のＳ１８における制御信号）を受信する。
【０１１１】
Ｓ１３では、Ｓ１２で受信した制御信号に基づいてＳ１０において記憶部に書き込まれたエリア情報がさらに上書きされないよう制御を行う。
【０１１２】
Ｓ１４では、Ｓ１２において記憶部に書き込まれたエリア情報を表示部に表示する。
【０１１３】
無線装置について。
【０１１４】
Ｓ１５では、予め設定されたエリア情報を含む無線信号を送信する。
【０１１５】
Ｓ１６では、施錠装置から送信される当該施錠装置に固有のＩＤデータを含む無線信号（前述のＳ１１における無線信号）を受信する。
【０１１６】
Ｓ１７では、Ｓ１６で受信した施錠装置のＩＤデータと、無線装置に設定されているエリア情報とを含む信号を管理サーバに送信する。
【０１１７】
Ｓ１８では、施錠装置に対し、当該施錠装置の記憶部に書き込まれたエリア情報がさらに上書きされることのないよう記憶部への書き込みを制御することを要求する制御信号を送信する。
【０１１８】
管理サーバについて。
【０１１９】
Ｓ１９では、無線装置から当該無線装置のエリア情報と、無線装置が受信した施錠装置に固有のＩＤデータとを含む信号（前述のＳ１７における信号）を受信する。なお、このエリア情報と施錠装置のＩＤデータとを含む信号は、自己が管理しているいずれかの無線装置が駐車エリアにおいて施錠装置から送信されるＩＤデータを含む無線信号を受信した際随時送信されてくるものである。
【０１２０】
Ｓ２０では、Ｓ１９で受信した信号に含まれていたＩＤデータが以前に一度受信したものであるか否かを判断する。一度受信している場合はＳ２１へ、一度も受信していない場合はＳ２３へと進む。
【０１２１】
Ｓ２１では、Ｓ１９で受信した信号に含まれるエリア情報に対応するエリアのカウンタを１下げる処理を行う。
【０１２２】
Ｓ２２では、ＩＤデータ記憶部に記憶されているＩＤデータのうち、Ｓ１９で受信した信号に含まれているＩＤデータと同一のものを消去する。
【０１２３】
Ｓ２３では、Ｓ１９で受信した信号に含まれるエリア情報に対応するエリアのカウンタを１上げる処理を行う。
【０１２４】
Ｓ２４では、Ｓ１９で受信した信号に含まれえるＩＤデータをＩＤデータ記憶部に記憶する。
【０１２５】
Ｓ２５では、Ｓ２１又はＳ２３での処理により得られたカウンタデータの数値から、当該エリア情報に示された駐車エリアの混雑度（駐車可能台数に対する駐車台数の割合）を算出する。例えば、混雑度が６０％未満の場合、６０％以上９０％未満の場合、及び、９０％以上の場合に場合分けをする。
【０１２６】
Ｓ２６では、Ｓ２５において混雑度が６０％未満の場合に当該駐車エリアの画面表示を青色にする処理を行う。
【０１２７】
Ｓ２７では、Ｓ２５において混雑度が６０％以上９０％未満の場合に当該駐車エリアの画面表示を黄色にする処理を行う。
【０１２８】
Ｓ２８では、Ｓ２５において混雑度が９０％以上の場合に当該駐車エリアの画面表示を赤色にする処理を行う。
【０１２９】
なお、混雑度の表示方法は上記の例に限られるものでなく任意である。
【０１３０】
また、Ｓ２５〜Ｓ２８は、混雑度の情報を画像情報として出力する場合の情報処理ステップの例であり、その他の出力方法を採用する場合には異なるステップを採ることが可能である。
【０１３１】
（６）その他
(a)エリア情報表示制御方法
施錠装置の表示部にエリア情報を表示する表示方法の一つの例は、施錠又は開錠のための所定条件の満足の検出に伴い記憶部に記憶されているエリア情報が表示され、施錠装置の全部又は一部が車両に挿入されるとそれを検出した制御部は表示を消去する。なお、挿入は車両側との電気的な接続の検出で行えばよい。
【０１３２】
表示方法の他の例は、施錠又は開錠のための所定条件の満足の検出に伴い記憶部に記憶されているエリア情報が表示（点灯）され、一定時間（例えば５秒間）が経過すると表示部が消灯する。その後別途設けられた表示ボタンを押すと、再度表示が現れ（表示部が点灯し）、同様に一定時間が経過すると表示を消す。
【０１３３】
(b)上書き制御方法
施錠装置の記憶部へのエリア情報の上書きを規制する方法として、前述実施例１又は実施例２に記載の方法以外に、例えば、施錠装置に所定の操作によりエリア情報の上書きを規制する制御を行う操作部を設けてもよい。
【０１３４】
また、記憶部への上書きが規制されている状態から、当該規制状態を解除する制御を行う方法として、例えば、施錠装置の全部又は一部が車両に挿入される操作を検出し、又は、管理サーバから無線装置を介して送信される制御信号（エリア情報を含む無線信号の受信、又は、記憶部への書き込みを可能の状態にすることを要求する信号）を施錠装置が受信することにより、記憶部への書き込みを可能の状態に切り替える方法を用いることもできる。
【０１３５】
(c)混雑度情報表示方法
管理サーバにおいて生成された混雑度情報の出力方法に関する一つの例は、画像情報として画面に出力する方法である。図１２は画面表示の一例を示したものである。
【０１３６】
各エリアの混雑度をエリア毎の駐車可能台数に対する駐車数の割合（施錠装置から無線装置を介して管理サーバに送られ記憶されているＩＤデータの数を基に算出）として求める。そして、例えば、割合が６０％未満、６０％以上９０％未満、９０％以上の各混雑度を識別できるような色分け表示等（６０％未満は青色、６０％以上９０％未満は黄色、９０％以上は赤色として、各エリアの表示の色を変える等）をする。
【０１３７】
管理サーバにおいて混雑情報記憶部の情報が更新されると、それに伴い随時画面表示も更新されるので、駐車場利用者はリアルタイムかつ容易に駐車可能エリアを把握することができる。
（付記１）
所定の条件の満足に応じて、車両の扉の施錠を遠隔的に行う施錠装置において、
該所定の条件の満足を検出する検出部と、
無線信号を受信する受信部と、
情報を記憶する記憶部と、
該検出をトリガとして該受信部が受信した無線信号に含まれるエリア情報を該記憶部に書き込む制御をする制御部と、
該記憶部に記憶された該エリア情報を出力する出力部と、
を備えたことを特徴とする施錠装置。
（付記２）
付記１において、
前記制御部は、前記検出が行われた際に前記記憶部への前記エリア情報の書き込みを不可の状態から可能の状態にする制御を行うことを特徴とする施錠装置。
（付記３）
付記１において、
前記制御部は、前記エリア情報を前記記憶部に書き込んだ後に書き込んだ該エリア情報の上書きを規制する制御を行うことを特徴とする施錠装置。
（付記４）
付記１において、
前記制御部は、前記受信部がエリア情報を含む複数の無線信号を受信した場合に、該複数の無線信号のうち最も電界強度の強い無線信号に含まれるエリア情報を前記記憶部に書き込む制御を行うことを特徴とする施錠装置。
（付記５）
付記１において、
前記制御部は、受信したエリア情報が前記記憶部に既に記憶されているエリア情報と異なるエリア情報であると判定した場合、該記憶部に既に記憶されている該エリア情報が該異なるエリア情報によって上書きされることを規制する制御を行うことを特徴とする施錠装置。
（付記６）
付記１において、
所定の操作により、前記書き込んだ前記エリア情報の上書きを規制する操作部を備えたことを特徴とする施錠装置。
（付記７）
付記３において、
一部又は全部が車両に挿入されると、前記制御部は、前記上書きを規制する状態から前記記憶部へのエリア情報の書き込みを可能の状態に切り替えることを特徴とする施錠装置。
（付記８）
付記５において、
前記制御部は、前記受信部が前記記憶部への情報書き込みを可能の状態にすることを要求する信号を含む無線信号を受信すると、前記上書きされることを規制する状態から該記憶部への情報書き込みを可能の状態に切り替えることを特徴とする施錠装置。
（付記９）
付記１において、
施錠装置に固有のＩＤデータを保持し、前記エリア情報を該記憶部に書き込むと該ＩＤデータを含む無線信号を送信する送信部を備えることを特徴とする施錠装置。
（付記１０）
車両の扉の施錠を遠隔的に行う施錠装置との間で無線信号を送受信する無線装置において、
エリア情報を含む無線信号を送信する送信部と、
内蔵する記憶部に該送信部からの該エリア情報を書き込んだ該施錠装置から送信される、該施錠装置に固有のＩＤデータを含む無線信号を受信する受信部と、
を備え、
該送信部は、該ＩＤデータを含む無線信号を受信すると、該施錠装置に対し該記憶部に書き込まれた該エリア情報の上書きを禁止の状態となるように制御する制御信号を送信することを特徴とする無線装置。
（付記１１）
車両の扉の施錠を遠隔的に行う施錠装置と通信を行う複数の無線装置を管理する管理サーバにおいて、
該複数の無線装置のいずれかの無線装置からエリア情報を受信した該施錠装置から送信される該エリア情報と、該施錠装置に固有のＩＤデータと、を含む信号を該無線装置を介して受信する受信部と、
該エリア情報と該ＩＤデータとに基づいてエリア毎にＩＤデータを収集して、エリア毎の混雑度を算出する算出部と、
該算出部で算出した該混雑度の情報を出力する出力部と、
を備えたことを特徴とする管理サーバ。
（付記１２）
付記１１において、
前記混雑度の情報は画像情報であることを特徴とする管理サーバ。
（付記１３）
所定の条件の満足に応じて車両の扉の施錠を遠隔的に行う施錠装置と無線装置とを用いるエリア提示方法において、
該無線装置は、エリア情報を含む無線信号を送信し、
該施錠装置は、
該所定の条件の満足を検出し、該検出をトリガとして内蔵する記憶部への該エリア情報の書き込みを可能の状態に制御し、
該エリア情報を含む無線信号を受信すると該エリア情報を該記憶部に書き込み、
書き込まれた該エリア情報への該エリア情報の上書きを禁止の状態にするとともに、書き込まれた該エリア情報を出力する、
ことを特徴とするエリア提示方法。
（付記１４）
所定の条件の満足に応じて車両の扉の施錠を遠隔的に行う施錠装置と通信を行う複数の無線装置を管理する管理サーバを用いるエリア管理方法において、
該無線装置は、エリア情報を含む無線信号を送信し、
該施錠装置は、該所定の条件の満足を検出し、該検出をトリガとして内蔵する記憶部への該エリア情報の書き込みを可能の状態に制御し、該エリア情報を含む無線信号を受信すると該エリア情報を該記憶部に書き込み、該エリア情報と自身に固有のＩＤデータを含む無線信号を該無線装置に送信し、
該管理サーバは、該施錠装置から送信される該エリア情報と該ＩＤデータとを含む信号を該無線装置を介して受信し、該エリア情報と該ＩＤデータとに基づいてエリア毎にＩＤデータを収集して、エリア毎の混雑度を算出し、該混雑度の情報を出力する、
ことを特徴とするエリア管理方法。
【図面の簡単な説明】
【０１３８】
【図１】駐車場のイメージ図
【図２】実施例１の構成図
【図３】実施例１の変形例における施錠装置の構成図
【図４】実施例１の変形例における無線装置の構成図
【図５】実施例１の変形例の動作を表すフローチャート
【図６】実施例２の構成図
【図７】実施例２の通信システムイメージ図
【図８】実施例２における施錠装置の構成図
【図９】実施例２における無線装置の構成図
【図１０】実施例２における管理サーバの構成図
【図１１】実施例２の動作を表すフローチャート
【図１２】実施例２の駐車場の混雑度を表す画面表示例
【符号の説明】
【０１３９】
１1〜9、３、１６  無線装置
２、１５  施錠装置
４、１８、２５、２６  受信部
５、２０  制御部
６、２１  検出部
７、２２  記憶部
８、２３  表示部
９、１９、２４  送信部
１７  管理サーバ
２７  算出部
２８  出力部
１０、２９  ＥＮ（イネーブル）制御部
１１、３１  バッファ部
１２、３２  電界強度判定部
１３、３３  データ判定部
１４、３７  エリア情報記憶部
３０  信号判定部
３４  ＩＤデータ保持部
３５  信号生成部
３６  ＩＤ判定部
３８  セレクタ
３９、４０、４３  輻輳制御部
４１  信号交換処理部
４２、５０  信号変換部
４４  ＩＤデータ確認部
４５  カウンタ処理部
４６  混雑度情報生成部
４７  ＩＤデータ記憶部
４８  カウンタデータ記憶部
４９  混雑度情報記憶部
５１  出力装置
【図１】
2009108477.tif 000003
【図２】
2009108477.tif 000004
【図３】
2009108477.tif 000005
【図４】
2009108477.tif 000006
【図５】
2009108477.tif 000007
【図６】
2009108477.tif 000008
【図７】
2009108477.tif 000009
【図８】
2009108477.tif 000010
【図９】
2009108477.tif 000011
【図１０】
2009108477.tif 000012
【図１１】
2009108477.tif 000013
【図１２】
2009108477.tif 000014